(57)【要約】【課題】支柱によってスペースをとられず、多数積み重ねて保管することができるようにする。【解決手段】物を載せる四角なパレット台１０と、このパレット台１０の一側の左右のコーナから直立する一対の第１支柱２１、２１、及び他側の左右のコーナから直立する一対の第２支柱２２、２２と、左右の第１支柱２１、２１を連結する第１横方向部材２１′、及び左右の第２支柱２２、２２を連結する第２横方向部材２２′とを備え、一対の第１支柱２１、２１と第２支柱２２、２２をパレット台１０上に倒伏可能に枢着する。【選択図】  図１
2005014926.tif 000002
【特許請求の範囲】
【請求項１】
物を載せる四角なパレット台と、上記パレット台の一側の左右のコーナから直立する一対の第１支柱、及び他側の左右のコーナから直立する一対の第２支柱と、上記左右の第１支柱を連結する第１横方向部材、及び左右の第２支柱を連結する第２横方向部材とを備え、上記一対の第１支柱と第２支柱を前記パレット台上に倒伏可能に枢着したことを特徴とするパレット。
【請求項２】
請求項１に記載のパレットにおいて、パレット台は一側と他側の左右に、第１と第２の左右の支柱を直立状態からパレット台上に倒伏可能に枢着する軸受片を有し、且つ上記第１と第２の左右の支柱の上端部の間を取外し可能に連結し、第１と第２の左右の支柱を直立状態に維持する連結部材を備えていることを特徴とするパレット。
【請求項３】
請求項２に記載のパレットにおいて、上記軸受片は第１と第２の左右の支柱を自立させる自立装置を備えていることを特徴とするパレット。
【請求項４】
請求項１に記載のパレットにおいて、上記第１と第２の左右の支柱は夫々下端部に上下方向の細長孔と、上記各細長孔を横切って上下方向に移動可能な支点ピンと、上記各細長孔の上に設けられた支持部材と、上記各支点ピンと支持部材とを伸長状態で連結し、支点ピンを細長孔沿いに牽引するバネ部材とを備えると共に、前記パレット台は一側と他側の左右に、第１と第２の左右の支柱の支点ピンを枢着する軸受片と、各支柱の上下方向の細長孔を有する下端部に前後から当接し、支柱を直立状態に維持する高さの低いストッパとを備えていることを特徴とするパレット。
【請求項５】
請求項１から４のいずれか１項に記載のパレットにおいて、第１と第２の左右の支柱の上端間に横桟を固定するとともに、第１と第２の左右の支柱を直立させたとき、両支柱の上端間の横桟を着脱可能に連結する上面板を設けたことを特徴とするパレット。
【請求項６】
請求項１から５のいずれか１項に記載のパレットにおいて、パレット台は、一側の左右の各コーナと、他側の左右の各コーナとに配置され、上面に左右方向と、これに直交した前後方向とのＬ形の溝を備えた四つの脚部、及び上記各脚部のＬ形の左右方向の溝に各端部を嵌合して一側の左右の脚部同士と、他側の左右の脚部同士とを連結する２本の左右方向の棒状連結材、並びに上記各脚部のＬ形の前後方向の溝に各端部を嵌合して一側と他側の左の脚部同士と、右の脚部同士とを連結する２本の前後方向の棒状連結材からなる組立て、分解可能なフレームと、上記フレームと同大の四角形で、そのフレームに対し着脱可能に固定された台板とで構成することを特徴とするパレット。
【請求項７】
請求項１から６のいずれか１項に記載のパレットにおいて、パレット台のフレーム下面に着脱自在なキャスター機構を備えたことを特徴とするパレット。
【請求項８】
請求項７に記載のパレットにおいて、前記キャスター機構は、前記パレット台のフレームに固定された第１のベース部材と、前記第１のベース部材に係合片及びバックル部材とで着脱自在に構成された第２のベース部材と、前記第２のベース部材に固定されたキャスター車輪とを備えたことを特徴とするパレット。
【発明の詳細な説明】
【０００１】
【発明の属する技術分野】
この発明は、その上に物を載せて保管したり、載せた物をフォークリフトのフォークで持ち上げて運搬したりするためのパレットに関する。
【０００２】
【従来の技術】
パレットの、物を載せるための四角なパレット台は、周知のように四隅などに脚部を有し、床との間にフォークリフトのフォークを挿入可能な空間を保っている。そして、四隅からは支柱が直立し、フォークリフトでの運搬時にパレット台から物がずれ動いて落ちるのを防止するようになっている。
【０００３】
【発明が解決しようとする課題】
パレット台の四隅から直立する支柱は、パレット台上に物を載せず、複数個を重ねて保管する際は、高さ方向にスペースをとり、邪魔になるので、１本宛、パレット台からネジなどで取外すことができるようになっているが、その着脱には手数を要する。また、パレット台の四角形の大きさは一定で、別の四角形の大きさに変更することは不可能である。
【０００４】
【課題を解決するための手段】
上述した問題点を解消するため、請求項１のパレットは、物を載せる四角なパレット台と、上記パレット台の一側の左右のコーナから直立する一対の第１支柱、及び他側の左右のコーナから直立する一対の第２支柱と、上記左右の第１支柱を連結する第１横方向部材、及び左右の第２支柱を連結する第２横方向部材とを備え、上記一対の第１支柱と第２支柱を前記パレット台上に倒伏可能に枢着したことを特徴とする。請求項２のパレットは、請求項１に記載のパレットにおいて、パレット台は一側と他側の左右に、第１と第２の左右の支柱を直立状態からパレット台上に倒伏可能に枢着する軸受片を有し、且つ上記第１と第２の左右の支柱の上端部の間を取外し可能に連結し、第１と第２の左右の支柱を直立状態に維持する連結部材を備えていることを特徴とする。また、請求項３のパレットは、請求項２に記載のパレットにおいて、上記軸受片は第１と第２の左右の支柱を自立させる自立装置を備えていることを特徴とする。請求項４のパレットは、請求項１に記載のパレットにおいて、上記第１と第２の左右の支柱は夫々下端部に上下方向の細長孔と、上記各細長孔を横切って上下方向に移動可能な支点ピンと、上記各細長孔の上に設けられた支持部材と、上記各支点ピンと支持部材とを伸長状態で連結し、支点ピンを細長孔沿いに牽引するバネ部材とを備えると共に、前記パレット台は一側と他側の左右に、第１と第２の左右の支柱の支点ピンを枢着する軸受片と、各支柱の上下方向の細長孔を有する下端部に前後から当接し、支柱を直立状態に維持する高さの低いストッパとを備えていることを特徴とする。また、請求項５のパレットは、請求項１から４のいずれか１項に記載のパレットにおいて、第１と第２の左右の支柱の上端間に横桟を固定するとともに、第１と第２の左右の支柱を直立させたとき、両支柱の上端間の横桟を着脱可能に連結する上面板を設けたことを特徴とする。請求項６のパレットは、請求項１から５のいずれか１項に記載のパレットにおいて、パレット台は、一側の左右の各コーナと、他側の左右の各コーナとに配置され、上面に左右方向と、これに直交した前後方向とのＬ形の溝を備えた四つの脚部、及び上記各脚部のＬ形の左右方向の溝に各端部を嵌合して一側の左右の脚部同士と、他側の左右の脚部同士とを連結する２本の左右方向の棒状連結材、並びに上記各脚部のＬ形の前後方向の溝に各端部を嵌合して一側と他側の左の脚部同士と、右の脚部同士とを連結する２本の前後方向の棒状連結材からなる組立て、分解可能なフレームと、上記フレームと同大の四角形で、そのフレームに対し着脱可能に固定された台板とで構成することを特徴とする。また、請求項７のパレットは、パレット台のフレーム下面に着脱自在なキャスター機構を備えたことを特徴とする。また、請求項８のパレットは、キャスター機構は、前記パレット台のフレームに固定された第１のベース部材と、前記第１のベース部材に係合片及びバックル部材とで着脱自在に構成された第２のベース部材と、前記第２のベース部材に固定されたキャスター車輪とを備えたことを特徴とする。
【０００５】
【発明の実施の形態】
図面において、１０は四角なパレット台、２１、２１はパレット台の一側の左右のコーナから直立する一対の第１支柱、２２、２２はパレット台の他側の左右のコーナから直立する一対の第２支柱、２１′は上記左右の第１支柱を連結する第１横方向部材、２２′は上記左右の第２支柱を連結する第２横方向部材を示し、第１、第２支柱は、図面では開溝部が対向した鋼製のチャンネル材で構成されているが、これに限定されるものではない。また、各横方向部材２１′、２２′は、図面では棒状の部材として示されているが、板状の部材であってもよい。
【０００６】
図１〜３の第１実施形態ではパレット台の上面の四隅に、第１、第２支柱を直立状態からパレット台上に伏せた倒伏状態にすることができる軸受片３１が設けてある。各支柱は下端部に枢着ピン２３を通す孔２３′、その直ぐ上に補助ピン２４を通す孔２４′有し、上記各軸受片は上記枢着ピン２３を枢着する軸孔３２と、その上に補助ピン２４を受入れ、補助ピンが孔内を移動し、支柱が直立状態からパレット台の上面上に伏せることを許容する９０°以上の弧状長孔３３を備えている。上記軸孔３２は弧状長孔３３の円弧の中心、または段落００２８で述べるように円弧の中心から少しずれた位置に開設する。
【０００７】
また、第１と第２の４本の支柱を直立状態に維持するため、直立した第１支柱と第２支柱の相対向した上端部を連結部材２５で着脱可能に連結する。連結部材２５は板状であってもよいが、図示の実施形態では棒状であるため、第１支柱と第２支柱の相対向した上端部に、図２、図３に示したように、棒状の連結部材２５の各端部を上から入れて受止めるＬ形の受止め片３４を固定する。そして、この受止め片の連結部材２５を受止める面には連結部材を横切る方向に連結ピン３５が設けてある。これに対応して連結部材２５の各端部には受止め片に上から入れたとき、上記連結ピン３５に嵌合する切欠き３６を設ける。切欠き３６は連結部材の下面に設けるだけでもよいが、図示のように上面にも設けておくと、連結部材２５を上面、下面のどちらから受止め片２４に入れても切欠き３６が受止め片の連結ピン３５と係合するので指向性が無くなる。
【０００８】
従って、パレット台１０上に物を載せる際は、第１と第２の４本の支柱２１、２１と２２、２２を直立させ、第１と第２の左の支柱の上端部と、右の支柱の上端部とを連結部材２５、２５で連結し、上記４本の支柱が囲む内部を通じ、上からパレット台上に物を載せ、また、パレット台上から物を取出すときはその逆にすればよい。
【０００９】
そして、パレット台上に物が無いときは連結部材を４本の支柱の上端部から外し、第１と第２の支柱２１、２１と２２、２２を夫々パレット台上に倒して伏せさせ（このとき第１と第２の支柱のどちらが上になっても、下になっても構わない。）、扁平にすればよく、これにより積み重ねて保管する際に大きなスペースを必要としない。
【００１０】
更に、図２、図３（Ａ）に示したように、図１の軸受片３１の軸孔３２を弧状長孔の中心から下に向いた長孔３２′にすると共に、弧状長孔３３の上端に、上記長孔３２′に対応した下向きの凹部３３′を設け、各支柱を直立状態にしたとき、枢着ピン２３が長孔３２′の下端に位置し、補助ピン２４が弧状長孔の凹部３３′に落ち込み、これにより支柱が少し下向きに移動して直立状態に自立できるようにすれば、手で持って立たせておく手数が省けるので好ましい。
【００１１】
この場合、左右の第１支柱、第２支柱をパレット台上に倒伏させるには、図３（Ａ）に破線で示したように夫々支柱を少し引き上げ、枢着ピン２３を長孔３２′の上端に位置させると共に、補助ピン２４を弧状長孔３３の上端の凹部３３から上に脱出させ、枢着ピン２３を長孔３２′の上端を支点に回動させて補助ピン２４を弧状長孔３３中で、該弧状長孔沿いに下向きに移動させればよい。
【００１２】
図４〜７の第２実施形態では、第１と第２の左右の支柱２１、２２は夫々下端部に上下方向の細長孔４１と、上記細長孔を横切って細長孔沿いに上下方向に移動可能な支点ピン４２と、上記各細長孔の上端の直ぐ上の孔４３′に設けられた固定のピンやフックなどからなる固定部材４３と、上記支点ピン４２と固定部材４３との間を連結するバネ部材４４（図ではコイルバネ）を備えている。
【００１３】
また、パレット台１０は一側と他側の左右に、上記第１と第２の左右の支柱の支点ピン４２を枢着する軸孔４６を備えた軸受片４５と、各支柱の上下方向の細長孔４１を有する下端部に前後から当接し、支柱を直立状態に維持する高さの低い前後のストッパ４７、４７を有する。
【００１４】
軸受片４５は、図５に示すようにパレット台上に対向して固定された２枚からなり、これに支点ピン４２を枢着する軸孔４６を対向して設け、前後のストッパ４７、４７は上記２枚の軸受片の間でパレット台上に固定される板４７′の前後に形成してある。
【００１５】
第１、第２の各支柱２１、２２の細長孔４１に上下動可能に貫通した支点ピン４２の各端部を各軸受片にある相対向した軸孔４６、４６に通し、それから支点ピン４２と固定部材４３とを伸長させたバネ部材４４で連結する。この状態では、図６に示したように各支柱はバネ部材４４の牽引力で下がって下端が板４７′の上に当接し、軸受片の軸孔４６に支持された支点ピン４２はバネ部材で牽引されて支柱の細長孔４１の上端に位置し、板４７′上に当接した各支柱の下端部は前後のストッパ４７、４７で支持され、自立状態を維持する。勿論、左右の第１支柱は第１横方向部材２１′で、また、第２支柱は第２横方向部材２２′で夫々連結されて一体になる。
【００１６】
自立状態の第１、第２の左の支柱同士、及び右の支柱同士を着脱可能な連結部材２５で連結し、自立状態を確保してもよい。この実施形態では各支柱の上端に頭付きピン４８を対向して設けると共に、連結部材２５の両端の端面板に上記頭付きピンの大径の頭４８ａが通る大径部４９ａを下に向けた鍵形孔４９を設け（図６参照）、鍵形孔の大径部を頭付きピンの頭に嵌めた後、連結部材２５を下向きに移動させて鍵形孔の長孔部を頭付きピンの軸部４８ｂに係合させ、第１、第２の左の支柱同士、及び右の支柱同士を連結してある。連結を外すには上記操作を逆に行えばよい。
【００１７】
第１支柱と第２支柱とを倒すには上記連結部材２５を外す。それから、バネ部材の牽引力に抗して第１支柱、第２支柱を引き上げる。前述したように、軸受片の軸孔４６に支持された各支柱の支点ピンは各支柱の細長孔４１の上端に位置するので、各支柱は細長孔４１の下端が支点ピンに当接するまで上昇させることができる。そして、上昇させることにより各支柱の下端は図７に示すように前後のストッパ４７、４７から上に離れる。従って、軸受片の軸孔４６に支持された支点ピン４２を支点にして第１、第２の左右の支柱をパレット台１０上に伏せる方向（矢印Ａ）にも、反対の仰向けになる方向（矢印Ｂ）のどちらの方向にも倒すことができる（図４Ｂ、図７参照）。
【００１８】
パレット台上に物を載せずに保管する際は、第１、第２支柱を矢印Ａ方向に倒して伏せさせると、その上に同様に第１、第２支柱を倒したパレットを積み重ね、スペースをとらずに多数のパレットを多段に保管することができる。
【００１９】
また、パレット台上に物を載せる際は、第１、第２支柱を矢印Ｂ方向に倒して仰向けにすると、両支柱は立っていないので、支柱に邪魔されず、容易にパレット台上に物を載せることができる。そして、パレット台上に物が載ったら仰向けに倒れている第１、第２支柱をＡ方向に起こして図６に示すように自立させ、必要ならば図４（Ａ）、図６（Ｂ）に示すように第１、第２支柱の左の支柱同士、及び右の支柱同士を連結部材２５で連結し、第１、第２支柱の自立を確保すればよい。
【００２０】
上記第１実施形態と、第２実施形態において、パレット台上に載っている物を上から保護するため、第１支柱と第２支柱の左右の上端間に、図８に示すように横桟２６を取付け、上記第１支柱と第２支柱の横桟２６、２６を上面板２７で取外し可能に連結し、パレット台の上方を上面板で覆うようにしてもよい。第１支柱と第２支柱の各横桟には上向きの突起２６′を所定の間隔で設け、上面板の前後の各端部には上記突起２６′に嵌合する嵌合孔２７′を設け、嵌合孔２７′を突起２６′に嵌めて上面板２７を第１支柱と第２支柱の横桟２６、２６間に取付けたり、支柱を倒す際は嵌合孔を突起から抜いて上面板を取外せばよい。
【００２１】
この上面板による第１支柱と第２支柱の連結は、連結部材２５による第１支柱と第２支柱の自立手段、自立の確保手段に代えたり、兼用したりすることができる。図８の第１、第２支柱２１、２２はパレット台に対して図１〜３の第１実施形態で枢着されているが、この枢着手段は図１〜３に示したものに限定されず、図４〜７に示したものでも、更に他の枢着手段であってもよい。
【００２２】
パレット台１０の四角形の形や大きさは、その上に載せる物の上からの投影面積よりも一回り大であることが好ましい。このため、パレット台１０は、四角形の一側の左右の各コーナと、他側の左右の各コーナとに配置され、上面に左右方向と、これに直交した前後方向とのＬ形の溝１３を備えた四つの脚部１２と、上記各脚部のＬ形の左右方向の溝１３′に各端部を嵌合し、一側の左右の脚部１２Ｌ、１２Ｒ同士を、連結する左右方向の棒状連結材１４ａ、及び他側の左右の脚部１２Ｌ、１２Ｒ同士を連結する左右方向の棒状連結材１４ｂと、各脚部のＬ形の前後方向の溝１３″に各端部を嵌合して一側と他側の左の脚部１２Ｌ、１２Ｌ同士と、右の脚部１２Ｒ、１２Ｒ同士を連結する前後方向の棒状連結材１５ａ、１５ｂとで組立て、分解可能なフレーム１１を構成する。
【００２３】
その際、図９に示したように、左右方向の棒状連結材１４ａ、１４ｂ、及び前後方向の棒状連結材１５ａ、１５ｂの長さを適切に撰び、パレット台の四角形の形ないし大きさを所定のフレームにする。
【００２４】
こうして構成したフレーム１１の上にフレームと同大の台板１６を載せ、台板の四隅を四つの脚部に対して取外し可能に固定する。これにより、四つの脚部の下端とフレーム１１との間にフォークリフトのフォークを挿入する空間が形成できる。
【００２５】
脚部１２は金属、コンクリート、硬質プラスチック、木材などで成形し、棒状連結材１４、１５は鋼製のチャンネル材や、角管材を使用し、台板１６はプラスチック板、木板、金属板を使用すればよい。
【００２６】
パレット台の四角形の形や大きさを変えるには台板１６をフレーム１１から取外し、必要な棒状連結材１４、１５の一方、または双方を脚部のＬ形の溝から外し、長、短の必要な長さの棒状連結材と交換してＬ形の溝に端部を嵌め、所要の四角形の新しい台板を新しいフレームの上に固定すればよい。
【００２７】
図１〜３にはバネ部材を使用しない第１実施形態を示したが、図４〜７の第２実施形態のようにバネ部材を使用するようにもすることができる。その場合は軸受片３１の下向きの細長孔３２′を丸孔３２，支柱２１、２２の、枢着ピン２３が通る下の孔２３′を上下方向の細長孔にし、枢着ピン２３と補助ピン２４とをコイルバネなどのバネ部材で連結し、弾性的に牽引すればよい。
【００２８】
上記のようにバネ部材を使用して第１実施形態の枢着ピン２３と補助ピン２４を連結する場合は、図１０に示したように軸孔３２を弧状長孔３３の中心位置３３ａから斜め下にずれた位置３３ｂに開設し、位置３３ｂの軸孔３２の中心から補助ピン２４が弧状長孔３３中をａ点、ｂ点、ｃ点に移動したときの距離Ａ、Ｂ、Ｃ、及び補助ピン２４が弧状長孔の上端の下向きの凹部３３′に落ち込んだときの補助ピンと軸孔３２の中心との距離Ｓとの間にＡ＞Ｂ＞Ｓ＞Ｃ（理想的にはＳ＞Ａ≧Ｂ≧Ｃ）の関係を保たせると、支柱の直立時にはバネ部材の張力が強くなって支柱の転倒防止に役立ち、また、支柱の倒伏状態や組み付けの際はバネ部材の張力は弱まり、倒伏状態の支柱を起立させたり、組み付けたりすることが容易になる。
【００２９】
図１１は、本発明によるパレットの第３実施形態におけるキャスター機構を示す説明図、図１２は本発明の第３実施形態におけるキャスター機構とフレームとの関係を示す説明図、図１３（Ａ）は同第３実施形態における第１、第２のベース部材を示す分解斜視図、（Ｂ）は同第１、第２のベース部材の組立状態を示す正面図、（Ｃ）は第１、第２のベース部材の組立状態を示す側面図ある。第３実施形態において、パレット台のフレーム１１の下面に着脱自在なキャスター機構５０が備えられている。このキャスター機構５０は、前記パレット台のフレーム１１にビス５１１等で固定された第１のベース部材５１と、第１のベース部材５１に係合片５２及びバックル部材５３とで着脱自在に構成された第２のベース部材５４と、前記第２のベース部材５４に固定されたキャスター車輪５５とを備えている。
【００３０】
第１のベース部材５１は、パレット台のフレーム１１の固定される左右に貫かれた切り欠き５１２を有しており、この切り欠き５１２に沿って複数のビス穴５１３が穿設されている。また、第１のベース部材５１の後端部５１４は、第２のベース部材５４の係合片５２と係合するように背が低く形成されている。更に、第１のベース部材５１の正面側には、バックル部材５３と係合する突片５１５が形成されるとともに側面には、第２のベース部材５４の端部と当接する当接片５１７が垂設され第２のベース部材５４と組合わせる際の位置決めとしている。更に、第１のベース部材５１の正面側には、開口窓５１６が設けられており、第２のベース部材５４の垂直板５４１に設けられた突起５４２が入り込む構成となっている。
【００３１】
第２のベース部材５４は、下端面にキャスター車輪５５がビス等で固定されている。また正面の垂直板５４１には、バックル部材５３がビス等で固定されており、第１のベース部材５１と組み立て際に、正面側に突出した突片５１５と係合することができる。また、バックル部材５３は、レーバ５３ａと係合環５３ｂを備えており、レーバ５３ａを操作することにより、係合環５３ｂを所定位置に固定することができる。更に、第２のベース部材５４の奥端には、係合片５２が断面コ字状に形成されており、第１のベース部材５１の収納される空間を形成している。この空間の奥行き幅は、第１のベース部材５１の奥行き幅より大きく形成されており、固定された第１のベース部材５１に対して第２のベース部材５４を摺動することができる。
【００３２】
以上のように構成されたキャスター機構５０は、パレット台のフレーム１１にビス等で固着された第１のベース部材５１に対して、キャスター車輪５５の取り付けられた第２のベース部材５４をバックル部材５３と係合片５２とで着脱自在に固着することができる。したがって、作業者がキャスター車輪を使用して移動することができる。また、床面とフレーム１１との間には、フォークリフトのフォークを挿入する空間が形成されているので、フォークリフトを使用してパレットを移動することもできる。
【００３３】
【発明の効果】
この発明よれば、パレット台上に物を載せずに保管する際は、パレット台の四隅に立つ四本の支柱をパレット台の上に倒して伏せさせておけるので、支柱によってスペースをとられず、多数積み重ねて保管することができる。そして、パレット台上に物を載せる際は、パレット台上に伏せている四本の支柱を起こして起立させればよいので、着脱するなどの手数を要しない。特に、請求項３のパレットはパレット台上に伏せている支柱を起こすと支柱は自立するので、手で立たせ、立った状態に固定する手数が省ける。更に、請求項４のパレットは、請求項３のパレットの作用、効果を有するほかに、支柱を仰向けに倒すことができるので、立っている支柱に邪魔されることなくパレット台の上に物を載せることができる。また、請求項５のパレットは、パレット台板上に載った物の上を上面板で保護することができる。更に、請求項６のパレットはパレット台の四角形の形、大きさを、その上に載せる物の上からの投影面積に応じて容易に変化させることができる。
【００３４】
また、請求項７のパレットは、フレーム下面に着脱自在なキャスター機構を備えたので、荷物を載せたままフォークリフトを使用することなく移動させることができる。また、請求項８のパレットは、バックル部材によりキャスター車輪を第２のベース部材とともに取り外すことができるので、キャスターを必要とする場合のみ選択的に使用することができる。
【図面の簡単な説明】
【図１】本発明によるパレットの第１実施形態の使用状態の斜視図。
【図２】上記第１実施形態の一部を改良した軸受片と、支柱と、連結部材の分解状態斜視図。
【図３】（Ａ）は図２の組立て状態の一部を断面にした側面図、（Ｂ）は同上の連結部材を外した状態の正面図。
【図４】（Ａ）は本発明によるパレットの第２実施形態の使用状態の斜視図、（Ｂ）は同上の支柱を倒した状態を説明する斜視図。
【図５】同上の軸受部と支柱と連結部材の分解状態の斜視図。
【図６】（Ａ）は同上の組立て状態の正面図、（Ｂ）は側面図。
【図７】同上の支柱を倒す状態を説明する要部の側面図。
【図８】第１実施形態と、第２実施形態の、（Ａ）はパレット台上を上面板で覆うようにした状態の斜視図、（Ｂ）は上面板で覆った状態の断面図。
【図９】第１実施形態と、第２実施形態の、パレット台を構成するフレームの一部を切除した斜視図。
【図１０】第１実施形態で枢着ピンと補助ピンとをバネ部材で牽引する際に使用する好ましい軸受片の側面図。
【図１１】本発明によるパレットの第３実施形態におけるキャスター機構を示す斜視図。
【図１２】同第３実施形態におけるキャスター機構を示す分解斜視図。
【図１３】（Ａ）は同第３実施形態における第１、第２のベース部材を示す分解斜視図、（Ｂ）は同第１、第２のベース部材の組立状態を示す正面図、（Ｃ）は第１、第２のベース部材の組立状態を示す側面図。
【符号の説明】
１０    パレット台
１１    パレット台のフレーム
１２    フレームの脚部
１３    脚部の上面のＬ形の溝
１４、１５    棒状連結材
１６    台板
２１    左右の第１支柱
２１′  第１横方向部材
２２    左右の第２支柱
２２′  第２横方向部材
２３    枢着ピン
２４    補助ピン
２５    連結部材
２６    横桟
３１    軸受片
３２    軸孔
３２′  長孔
３３    弧状長孔
３３′  弧状孔の上端の凹部
３４    受止め片
３５    連結ピン
３６    切欠き
４１    細長孔
４２    支点ピン
４３    固定部材
４４    バネ部材
４５    軸受片
４５′  軸受片の底板
４６    軸孔
４７    前後のストッパ
４８    頭付きピン
４９    鍵形孔
５０    キャスター機構
５１    第１のベース部材
５１２  切り欠き
５１３  ビス穴
５１４  後端部
５１５  突片
５１６  開口窓
５１７  当接片
５２    係合片
５３    バックル部材
５４    第２のベース部材
５４１  垂直板
５４２    突起
５５    キャスター車輪
【図１】
2005014926.tif 000003
【図２】
2005014926.tif 000004
【図３】
2005014926.tif 000005
【図４】
2005014926.tif 000006
【図５】
2005014926.tif 000007
【図６】
2005014926.tif 000008
【図７】
2005014926.tif 000009
【図８】
2005014926.tif 000010
【図９】
2005014926.tif 000011
【図１０】
2005014926.tif 000012
【図１１】
2005014926.tif 000013
【図１２】
2005014926.tif 000014
【図１３】
2005014926.tif 000015